(57)【特許請求の範囲】
【請求項１】
決裁をするために特定の位置に配置された外部装置との間において非接触通信を行う通信部と、
歩数を算出する歩数算出部と、
地球上における現在位置を測位するシステムを利用して現在位置を検出する位置検出部と、
所定の位置を歩数の計測を開始する地点として登録する開始地点登録部と、
少なくとも、前記歩数算出部により算出された歩数が予め設定されている設定値に達したことを検出したとき、前記外部装置との間において通信が行えるように前記通信部における通信動作を制御する制御部と、
前記位置検出部により検出された所定の位置を歩数の計測を終了する地点として登録する終了地点登録部と、
を備え、
前記歩数算出部は、前記位置検出部により検出された現在位置が前記開始地点登録部に登録されている前記計測を開始する地点から離れたことを検出した時に、歩数の算出を開始し、
前記制御部は、
前記歩数算出部により算出された歩数が予め設定されている設定値に達したことを検出し、さらに、前記位置検出部により検出された現在位置が前記終了地点登録部に登録されている前記計測を終了する地点に達していることを検出したときに、前記外部装置との間において通信が行えるように前記通信部における通信動作を制御することを特徴とする
携帯端末装置。
【請求項２】
前記制御部の制御によって前記通信部が前記外部装置との間において通信が行えるように制御された時以降の経過時間を計測する時間計測部を備え、
前記制御部は、前記時間計測部により計測された経過時間が所定の時間に達し、前記外部装置との間において前記通信部が通信を行っていないときに、前記外部装置との間において通信が行えないように前記通信部における通信動作を制御することを特徴とする請求項１に記載の携帯端末装置。
【請求項３】
外部装置との間において非接触通信を行う通信部と、
歩数を算出する歩数算出部と、
所定の位置を歩数の計測を開始する地点として登録する開始地点登録部と、
少なくとも、前記歩数算出部により算出された歩数が予め設定されている設定値に達したことを検出したとき、前記外部装置との間において通信が行えるように前記通信部における通信動作を制御する制御部と、
乗り物による移動を検出する移動検出部と、を備え、
前記制御部は、前記外部装置との間において前記通信部が通信を行い、当該通信が完了したことを検出し、前記移動検出部により乗り物による移動を検出したときに、前記外部装置との間において通信が行えないように前記通信部における通信動作を制御する携帯端末装置。
【請求項４】
前記制御部は、前記移動検出部による検出結果から乗り物による移動が終了したことを確認したときに、前記外部装置との間において通信が行えるように前記通信部における通信動作を制御することを特徴とする請求項３記載の携帯端末装置。
【請求項５】
前記制御部は、前記外部装置との間において通信が行えるように前記通信部における通信動作を制御し、前記外部装置との間において前記通信部が通信を行い、当該通信が完了したことを検出したときに、前記外部装置との間において通信が行えないように前記通信部における通信動作を制御することを特徴とする請求項４記載の携帯端末装置。
【発明の詳細な説明】
【技術分野】
【０００１】
本発明は、加速度センサを有する携帯端末装置に関する。
【背景技術】
【０００２】
近年の携帯端末装置においては、リーダ・ライタ機能を有する外部装置との間において通信を行うことができる非接触型のＩＣチップが内蔵されているものがある（例えば、特許文献１を参照。）。例えば、ＩＣチップが内蔵されている面を駅の自動改札機のリーダ・ライタ部に対してかざし、ＩＣチップのアンテナ部とリーダ・ライタ部とが所定の距離に近接したときに、所定の通信動作（電車賃等の決済）が行われる。
【０００３】
このようにして、リーダ・ライタ部を有する外部装置と携帯端末装置との間において、簡易な方法によって所定の通信動作が行われてしまうため、セキュリティを担保する観点から、例えば、暗証番号による一致・不一致に応じて通信動作の許否を制御する必要がある。
【特許文献１】特開２００４−２６６７２９号公報
【発明の開示】
【発明が解決しようとする課題】
【０００４】
しかしながら、例えば、朝の通勤時において、駅の自動改札機の前で携帯端末装置に暗証番号を入力し、通信動作を許可するように操作することは、携帯端末装置の利便性を著しく損ない、手軽さが失われてしまう。
【０００５】
本発明は、上述のような課題に鑑みてなされたものであり、その目的の一つは、一定のセキュリティを担保しつつ、利便性を損なうことなく外部装置との間で通信を行うことができる携帯端末装置を提供することにある。
【課題を解決するための手段】
【０００６】
（１）本発明に係る携帯端末装置は、上記課題を解決するために、決裁をするために特定の位置に配置された外部装置との間において非接触通信を行う通信部と、歩数を算出する歩数算出部と、地球上における現在位置を測位するシステムを利用して現在位置を検出する位置検出部と、所定の位置を歩数の計測を開始する地点として登録する開始地点登録部と、少なくとも、前記歩数算出部により算出された歩数が予め設定されている設定値に達したことを検出したとき、前記外部装置との間において通信が行えるように前記通信部における通信動作を制御する制御部と、前記位置検出部により検出された所定の位置を歩数の計測を終了する地点として登録する終了地点登録部と、を備え、前記歩数算出部は、前記位置検出部により検出された現在位置が前記開始地点登録部に登録されている前記計測を開始する地点から離れたことを検出した時に、歩数の算出を開始し、前記制御部は、前記歩数算出部により算出された歩数が予め設定されている設定値に達したことを検出し、さらに、前記位置検出部により検出された現在位置が前記終了地点登録部に登録されている前記計測を終了する地点に達していることを検出したときに、前記外部装置との間において通信が行えるように前記通信部における通信動作を制御することを特徴とする。
【０００９】
（４）本発明では、（１）乃至（３）の携帯端末装置において、前記制御部の制御によって前記通信部が前記外部装置との間において通信が行えるように制御された時以降の経過時間を計測する時間計測部を備え、前記制御部は、前記時間計測部により計測された経過時間が所定の時間に達し、前記外部装置との間において前記通信部が通信を行っていないときに、前記外部装置との間において通信が行えないように前記通信部における通信動作を制御することが好ましい。
【００１０】
（５）本発明に係る携帯端末装置は、上記課題を解決するために、外部装置との間において非接触通信を行う通信部と、歩数を算出する歩数算出部と、所定の位置を歩数の計測を開始する地点として登録する開始地点登録部と、少なくとも、前記歩数算出部により算出された歩数が予め設定されている設定値に達したことを検出したとき、前記外部装置との間において通信が行えるように前記通信部における通信動作を制御する制御部と、乗り物による移動を検出する移動検出部と、を備え、前記制御部は、前記外部装置との間において前記通信部が通信を行い、当該通信が完了したことを検出し、前記移動検出部により乗り物による移動を検出したときに、前記外部装置との間において通信が行えないように前記通信部における通信動作を制御することを特徴とする。
【００１１】
（６）本発明では、（５）の携帯端末装置において、前記制御部は、前記移動検出部による検出結果から乗り物による移動が終了したことを確認したときに、前記外部装置との間において通信が行えるように前記通信部における通信動作を制御することが好ましい。
【００１２】
（７）本発明では、（６）の携帯端末装置において、前記制御部は、前記外部装置との間において通信が行えるように前記通信部における通信動作を制御し、前記外部装置との間において前記通信部が通信を行い、当該通信が完了したことを検出したときに、前記外部装置との間において通信が行えないように前記通信部における通信動作を制御することが好ましい。
【発明の効果】
【００１６】
本発明によれば、一定のセキュリティを担保しつつ、利便性を損なうことなく外部装置との間で通信を行うことができる。
【発明を実施するための最良の形態】
【００１７】
以下、本発明の実施の形態について説明する。
【００１８】
図１は、本発明に係る携帯端末装置の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００１９】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。
【００２０】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００２２】
また、図２は、携帯電話装置１を折畳んだ状態の斜視図を示している。操作部側筐体部２は、外平面部に、時計やメールの着信等が表示されるサブＬＣＤ表示部３０が備えられている。
【００２３】
また、図３は、携帯電話装置１の機能を示す機能ブロック図である。携帯電話装置１は、図３に示すように、操作部１１と、マイク１２と、メインアンテナ４０と、ＲＦ回路部４１と、ＬＣＤ制御部４２と、音声処理部４３と、メモリ４４と、加速度センサ４５と、処理部４６と、ＧＰＳ処理部５１と、通信部６０とが操作部側筐体部２に備えられ、ＬＣＤ表示部２１と、スピーカ２２と、ドライバＩＣ２３と、サブＬＣＤ表示部３０とが表示部側筐体部３に備えられている。
【００２４】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯（例えば、８００ＭＨｚ）で外部装置と通信を行い、ＧＰＳ通信のための第２の使用周波数帯（例えば、１．５ＧＨｚ）に対応できるアンテナを別途設けても良い。
【００２５】
ＲＦ回路部４１は、メインアンテナ４０によって受信した信号を復調処理し、処理後の信号を処理部４６に供給する。そして、処理部４６から供給された信号を変調処理し、メインアンテナ４０を介して外部装置（基地局）に送信する。また、その一方で、メインアンテナ４０によって受信している信号の強度を処理部４６に通知を行う。
【００２６】
ＬＣＤ制御部４２は、処理部４６の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２７】
音声処理部４３は、処理部４６の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２８】
また、音声処理部４３は、処理部４６の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２９】
メモリ４４（開始地点登録部、終了地点登録部）は、例えば、ワーキングメモリを含み、処理部４６による演算処理に利用される。なお、メモリ４４は、着脱可能な外部メモリを兼ねていても良い。メモリ４４は、後述するＧＰＳ処理部５１により検出された所定の位置（例えば、自宅の位置）を歩数の計測を開始する地点として登録し、ＧＰＳ処理部５１により検出された所定の位置（例えば、乗り物に乗る場所）を歩数の計測を終了する地点として登録する。
【００３０】
加速度センサ４５は、携帯電話装置１に与えられた加速度を検出し、検出結果を処理部４６に出力する。
【００３１】
加速度センサ４５は、Ｘ軸方向、Ｙ軸方向及びＺ軸方向の加速度を検出する３軸（３次元）タイプであって、携帯電話装置１の外部から加わった力（Ｆ）と携帯電話装置１の質量（ｍ）に基づいて、加速度（ａ）を測定する（加速度（ａ）＝力（Ｆ）／質量（ｍ））。例えば、松下電工（株）製の商品名「３軸加速度センサＧＳ３」等が採用可能である。
【００３２】
また、加速度センサ４５は、例えば、圧電素子によって携帯電話装置１に加わる力を計測して軸ごとの加速度を求め、数値データ化してバッファリングする。そして、処理部４６は、周期的にバッファリングされた加速度データを読み出す。なお、加速度センサ４５は、圧電素子（圧電式）に限らず、ピエゾ抵抗型、静電容量型、熱検知型等によるＭＥＭＳ（Ｍｉｃｒｏ  Ｅｌｅｃｔｒｏ  Ｍｅｃｈａｎｉｃａｌ  Ｓｙｓｔｅｍｓ）式や、可動コイルを動かしてフィードバック電流によってもとに戻すサーボ式や、加速度によって生じる歪を歪ゲージによって測定する歪ゲージ式等により構成されても良い。
【００３３】
処理部４６は、携帯電話装置１の全体を制御しており、中央処理装置(ＣＰＵ)等を用いて構成される。なお、処理部４６の詳細については後述する。
【００３４】
ＧＰＳ処理部５１は、地球上における現在位置を測位するシステム（ＧＰＳ：Ｇｌｏｂａｌ  Ｐｏｓｉｔｉｏｎｉｎｇ  Ｓｙｓｔｅｍ）を利用してリアルタイムに現在位置を検出する。例えば、複数のＧＰＳ衛星から受信した電波から、電波の伝播時間と衛星の軌道情報を取得し、これらの情報に基づいて、ＧＰＳ衛星からの距離とＧＰＳ衛星の位置を把握し、携帯電話装置１の現在位置を検出する。
【００３５】
また、ＧＰＳ処理部５１は、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、携帯電話装置１の現在位置を検出する。
【００３６】
ここで、ＡＧＰＳ通信（以下、基地局通信という）とは、ネットワークに接続されたＧＰＳ測位アシストサーバの支援を受けつつ行われるＧＰＳを利用した測位である。詳細には、ＧＰＳ測位アシストサーバは、常にＧＰＳ衛星の情報を収集し、携帯電話装置１と無線通信が確立している基地局の識別子をパラメータとして、携帯電話装置１から測位用の情報の要求があると、ＧＰＳ測位アシストサーバは、ＧＰＳ衛星を捕捉するための捕捉用情報や、携帯電話装置１の現在位置を算出するための位置算出用情報等を携帯電話装置１へ向けて送信する。このため、地下鉄等のＧＰＳ通信が不可能な地点においても携帯電話装置１の現在位置を検出することができる。
【００３７】
通信部６０は、所定の規格に準拠してリーダ・ライタ機能を有する外部装置と第３の使用周波数帯により通信を行う磁界アンテナ部６１と、磁界アンテナ部６１により通信される情報に対して所定の処理を行うＲＦＩＤチップ６２と、から構成されている。
【００３８】
磁界アンテナ部６１は、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルにより構成される磁界アンテナであって、外部装置との間で第１の使用周波数帯の信号を送受信する。
【００３９】
ＲＦＩＤチップ６２は、磁界アンテナ部６１で受信された信号によって誘起された電力に基づいて所定の電圧を生成する電源回路部６３と、磁界アンテナ部６１により通信される信号に対して変調処理又は復調処理等の信号処理を行うＲＦ回路部６４と、所定の演算処理を行うＣＰＵ６５と、所定のデータが格納されているメモリ６６と、を備えている。電源回路部６３は、例えば、ＤＣ−ＤＣコンバータにより構成されている。
【００４０】
ここで、通信部６０の動作について説明する。
【００４１】
磁界アンテナ部６１は、外部装置に対して、所定距離まで接近したときに、当該リーダ・ライタ装置から送信される電磁波（第１の使用周波数帯であるキャリア周波数（例えば、１３．５６ＭＨｚ）により変調されている）を受信する。
【００４２】
また、磁界アンテナ部６１により電磁波が受信されると、電磁誘導作用により起電力が発生する。
【００４３】
電源回路部６３は、電磁誘導作用により発生した起電力から所定の電源電圧を生成し、ＲＦ回路部６４と、ＣＰＵ６５と、メモリ６６とに供給する。また、ＲＦ回路部６４と、ＣＰＵ６５と、メモリ６６とは、電源回路部６３から所定の電源電圧が供給されることにより停止状態から起動状態に移行する。
【００４４】
ＲＦ回路部６４は、磁界アンテナ部６１を介して供給された第３の使用周波数帯の信号に対して復調等の信号処理を行い、処理後の信号をＣＰＵ６５に供給する。
【００４５】
ＣＰＵ６５は、ＲＦ回路部６４から供給された信号に基づいて、メモリ６６にデータを書き込む、又は、メモリ６６からデータを読み出す。ＣＰＵ６５は、メモリ６６からデータを読み出した場合には、当該データをＲＦ回路部６４に供給する。ＲＦ回路部６４は、メモリ６６から読み出されたデータに対して変調等の信号処理を行い、磁界アンテナ部６１を介して外部装置に伝達する。
【００４６】
また、通信部６０は、上述では、電源部を有さない、いわゆる受動型（Ｐａｓｓｉｖｅ）の誘導電磁界方式（電磁誘導方式）であるものとして説明を行ったが、これに限られず、受動型の相互誘導方式（電磁結合方式）又は放射電磁界方式（電波方式）であっても良いし、又は、電源部を有する能動型（Ａｃｔｉｖｅ）であっても良い。また、通信部６０のアクセス方式として、リード・ライト型であるものとして説明を行ったが、これに限られず、リードオンリー型や、ライトワンス型等であっても良い。
【００４７】
図４は、処理部４６の機能を示す機能ブロック図である。処理部４６は、制御部４７と、歩数算出部４８と、時間計測部４９と、移動検出部５０と、を備える。
【００４８】
制御部４７は、所定の規格に準拠してリーダ・ライタ機能を有する外部装置との間において通信が行えるように通信部６０における通信動作を制御する。また、制御部４７は、加速度センサ４５、歩数算出部４８、時間計測部４９及び移動検出部５０に対して所定の制御を行う。
【００４９】
歩数算出部４８は、加速度センサ４５による検出結果に基づいて歩数を算出する。具体的には、予め加速度センサ４５による検出結果からユーザの歩き、走り、階段の昇り降り等を設定し、設定された値に基づいて歩数を検知する。なお、歩数の検知方法は、上述した方法に限られず、加速度センサ４５による検出結果とユーザの歩き、走り、階段の昇り降り等とを関連付けたテーブルを参照することにより検知しても良く、加速度センサ４５による検出結果の波形からユーザの歩き、走り、階段の昇り降り等を判断しても良い。また、歩数算出部４８は、所定の時間（例えば、１分）内に加速度センサ４５により所定の加速度が検出されたことを契機として、それ以前に加速度センサ４５による検出結果に基づいて検知された歩数を遡って積算する。
【００５０】
時間計測部４９は、制御部４７の制御によって通信部６０が外部装置との間において通信が行えるように制御された時以降の経過時間を計測する。
【００５１】
移動検出部５０は、予め加速度センサ４５による検出結果から電車等の乗り物による移動を設定し、設定された値に基づいて乗り物による移動を検知する。なお、乗り物による移動の検知方法は、上述した方法に限られず、加速度センサ４５による検出結果と乗り物による移動とを関連付けたテーブルを参照することにより検知しても良く、加速度センサ４５による検出結果の波形から乗り物による移動であることを判断しても良い。
【００５２】
［第１実施形態］
ここで、本発明に係る第１実施形態の一例について説明する。
【００５３】
制御部４７は、少なくとも、歩数算出部４８により算出された歩数の積算値が予め設定されている設定値に達したことを検出したとき、外部装置との間において通信が行えるように通信部６０における通信動作を制御する。
【００５４】
このような構成によれば、携帯電話装置１は、例えば、出発地から目的地までの歩数を予め設定値として設定しておけば、出発地から目的地までは通信部６０が外部装置と通信不可能な状態であり、目的地に到着したときに通信部６０が外部装置と通信可能な状態、即ち通信部６０のロックが解除された状態を容易に得ることができる。
【００５５】
また、歩数算出部４８は、ＧＰＳ処理部５１により検出された現在位置がメモリ４４に登録されている計測を開始する地点から離れたことを検出した時に、歩数の算出を開始する構成であっても良い。
なお、上述の計測を開始する地点とは、ＧＰＳ処理部５１により算出された現在位置を中心として、例えば所定の半径（半径３０ｍ）圏内を含むように設定することもできる。
また、上述の例に変えて、計測を開始する地点から所定の距離、（例えば自宅内で移動する程度の距離である１ｍ〜５０ｍ程度の距離）以上離れたときから、歩数の計測を開始するようにしても良い。
また、登録されている歩数の計測を開始する地点にいることを検知したときや、登録されている歩数の計測を開始する地点を通過したことを検知したときに、歩数の計測を開始するようにしても良い。
【００５６】
このような構成によれば、ユーザによる歩数の計測を開始するための操作を簡略化又は省略化することができる。
【００５７】
また、制御部４７は、歩数算出部４８により算出された歩数の積算値が予め設定されている設定値に達したことを検出し、さらに、ＧＰＳ処理部５１により検出された現在位置がメモリ４４に登録されている計測を終了する地点に達していることを検出したときに、外部装置との間において通信が行えるように通信部６０における通信動作を制御する構成であっても良い。
【００５８】
このような構成によれば、ユーザによる歩数の計測を終了させるための操作を簡略化又は省略化することができる。
【００５９】
また、制御部４７は、時間計測部４９により計測された経過時間が所定の時間に達し、外部装置との間において通信部６０が通信を行っていないときに、外部装置との間において通信が行えないように通信部６０における通信動作を制御する構成であっても良い。
【００６０】
このような構成によれば、通信部６０が外部装置と通信可能な状態になった後、外部装置と通信を行わなかったとき、通信部６０を外部装置と通信不可能な状態にするための操作を簡略化又は省略化することができる。
【００６１】
また、上述した時間計測部４９に替えて、移動検出部５０により加速度センサ４５による検出結果に基づいて乗り物による移動を検出し、制御部４７は、外部装置との間において通信部６０が通信を行い、当該通信が完了したことを検出し、移動検出部５０により乗り物による移動を検出したときに、外部装置との間において通信が行えないように通信部６０における通信動作を制御する構成であっても良い。
【００６２】
このような構成によれば、携帯電話装置１は、通信部６０を、外部装置との通信が可能な状態にした後、外部装置と通信をした場合において、その後にユーザによる通信部６０の通信を不可能にするための操作を簡略化又は省略化することができる。
【００６３】
また、制御部４７は、移動検出部５０による検出結果から乗り物による移動が終了したことを確認したときに、外部装置との間において通信が行えるように通信部６０における通信動作を制御する構成であっても良い。
【００６４】
このような構成によれば、携帯電話装置１は、通信部６０を、外部装置との通信が不可能な状態にした後、外部装置との通信を可能にするための操作を簡略化又は省略化することができる。
【００６５】
また、制御部４７は、外部装置との間において通信が行えるように通信部６０における通信動作を制御し、外部装置との間において通信部６０が通信を行い、当該通信が完了したことを検出したときに、外部装置との間において通信が行えないように通信部６０における通信動作を制御する構成であっても良い。
【００６６】
このような構成によれば、携帯電話装置１は、通信部６０が外部装置と通信をした後、外部装置との通信を不可能にするための操作を簡略化又は省略化することができる。
【００６７】
図４及び図５は、第１実施形態に係る携帯電話装置１の処理の流れの一例について示すフローチャートである。なお、本フローでは、予め歩数が設定されていることを前提とする。
【００６８】
ステップＳ１では、ユーザが歩き始めると、歩数算出部４８は、加速度センサ４５による検出結果に基づいて歩数の算出を開始する。ここで、ユーザが歩き始める前には、通信部６０は外部装置との間において通信が行えないように制御部４７により制御されている。
【００６９】
ステップＳ２では、歩数算出部４８は、加速度センサ４５による検出結果に基づいて歩数を算出し、算出された歩数を順次積算する。
【００７０】
ステップＳ３では、制御部４７は、歩数算出部４８により算出される歩数の積算値が、予め設定されている歩数（設定値）よりも１０％少ない値又は設定値又は設定値よりも１０％多い値のいずれかの値に達したか否かを判断する。歩数の積算値がいずれかの値に達した場合（Ｙｅｓ）には、ステップＳ４へ移る。一方、歩数の積算値がいずれの値にも達していない場合（Ｎｏ）には、ステップＳ２へ移る。なお、制御部４７により判断される歩数の積算値は、例示として設定値の１０％としたが、これに限られない。
【００７１】
ステップＳ４では、制御部４７は、ＧＰＳ処理部５１によりＧＰＳ通信可能であるか否か判断する。ＧＰＳ通信可能である場合（Ｙｅｓ）には、ステップＳ５へ移る。一方、ＧＰＳ通信不可能である場合（Ｎｏ）には、ステップＳ６へ移る。
【００７２】
ステップＳ５では、ＧＰＳ処理部５１は、ＧＰＳ通信を行い、携帯電話装置１の現在位置を検出する。
【００７３】
ステップＳ６では、ＧＰＳ処理部５１は、ＧＰＳ通信が不可能なため、基地局通信を利用し、携帯電話装置１の現在位置を検出する。
【００７４】
ステップＳ７では、制御部４７は、ステップＳ５又はステップＳ６で検出された携帯電話装置１の現在位置が計測を終了する地点に達しているか否か判断する。現在位置が計測を終了する地点に達していると判断した場合（Ｙｅｓ）には、ステップＳ８へ移る。一方、現在位置が計測を終了する地点に達していないと判断した場合（Ｎｏ）には、ステップＳ９へ移る。
【００７５】
ステップＳ８では、制御部４７は、外部装置との間において通信が行えるように通信部６０における通信動作を制御する。
【００７６】
ステップＳ９では、制御部４７は、引き続き外部装置との間において通信が行えない状態を維持する。
【００７７】
ステップＳ１０では、制御部４７は、通信部が外部装置との無線通信を行ったか否かを判断する。通信部６０が外部装置との間で無線通信を行った場合（Ｙｅｓ）には、ステップＳ１１へ移る。一方、通信部６０が外部装置との間で無線通信を行わなかった場合（Ｎｏ）には、ステップＳ１２へ移る。
【００７８】
また、ステップＳ１０では、上述した制御部４７の制御に替えて、制御部４７は、移動検出部５０により乗り物による移動を検出したか否か判断しても良い。このとき、乗り物による移動を検出した場合（Ｙｅｓ）には、ステップＳ１１へ移る。一方、乗り物による移動を検出しない場合（Ｎｏ）には、ステップＳ１２へ移る。
【００７９】
ステップＳ１１では、制御部４７は、外部装置との間において通信が行えないように通信部６０における通信動作を制御する。
【００８０】
ステップＳ１２では、制御部４７は、時間計測部４９により計測された経過時間が所定の時間に達したときに、外部装置との間において通信が行えないように通信部６０における通信動作を制御し、ステップＳ１３へ移る。
【００８１】
ステップＳ１３では、制御部４７は、移動検出部５０による検出結果から乗り物による移動が終了したことを確認したか否かを判断する。移動検出部５０による検出結果から乗り物による移動が終了したことを確認した場合（Ｙｅｓ）には、ステップＳ１４へ移る。一方、移動検出部５０による検出結果から乗り物による移動が終了したことを確認できない場合（Ｎｏ）には、ステップＳ１５へ移る。
【００８２】
ステップＳ１４では、制御部４７は、外部装置との間において通信が行えるように通信部６０における通信動作を制御する。ここで、携帯電話装置１のユーザが、乗り換え等により再び乗り物で移動するときは、制御部４７は、移動検出部５０により再び乗り物による移動を検出し、外部装置との間において通信が行えないように通信部６０における通信動作を制御する。
【００８３】
ステップＳ１５では、制御部４７は、引き続き外部装置との間において通信が行えない状態を維持し、本フローの処理を終了する。
【００８４】
ステップＳ１６では、制御部４７は、通信部６０が外部装置との無線通信を行ったか否かを判断する。通信部６０が外部装置との間で無線通信を行った場合（Ｙｅｓ）には、ステップＳ１７へ移る。一方、通信部６０が外部装置との間で無線通信を行わなかった場合（Ｎｏ）には、ステップＳ１２へ移る。
【００８５】
ステップＳ１７では、制御部４７は、外部装置との間において通信が行えないように通信部６０における通信動作を制御し、本フローの処理を終了する。
【００８６】
このように、携帯電話装置１は、出発地から目的地までの歩数を予め設定値として設定しておけば、出発地から目的地までは通信部が外部装置と通信不可能な状態であり、目的地に到着したときに通信部６０が外部装置と通信可能な状態、即ち通信部のロックが解除された状態を容易に得ることができる。
【００８７】
また、携帯電話装置１は、歩数算出部４８により算出される歩数の積算値が、予め設定されている歩数（設定値）よりも１０％少ない場合と、設定値と一致する場合と、設定値よりも１０％多い場合との３箇所で携帯電話装置１の現在位置が歩数算出部４８による歩数の計測を終了する地点であるか否かを判断するため、確実に目的地を特定し、特定した目的地に到着したときに通信部６０が外部装置と通信可能な状態を容易に得ることができる。
【００８８】
また、携帯電話装置１は、移動検出部５０による検出結果から乗り物による移動が終了したことを確認したか否かを判断し、外部装置との間において通信が行えるように通信部６０における通信動作を制御するため、例えば、ユーザが普段と違う駅で電車を降りる等の乗り物による移動が終了する地点が異なる場合であっても、目的地に到着したときに通信部６０が通信可能な状態を容易に得ることができる。
【００８９】
また、携帯電話装置１は、ＧＰＳ通信と基地局通信を併用するため、歩数の計測を終了する地点を登録したときと、実際に図４のステップＳ４からステップＳ６の処理を利用したときとで通信方式（ＧＰＳ通信又は基地局通信）が異なる場合であっても、携帯電話装置１の現在位置は、ＧＰＳ通信と基地局通信との共通の位置情報として制御部４７により判断される。
【００９０】
図６は、第１実施形態に係る携帯電話装置１において、歩数と場所の設定値が未登録のとき、歩数と場所を設定する処理の流れの一例について示すフローチャートである。
【００９１】
ステップＳ２１では、ユーザが歩き始めると、歩数算出部４８は、加速度センサ４５による検出結果に基づいて歩数の算出を開始する。ここで、ユーザが歩き始める前には、通信部６０は外部装置との間において通信が行えないように制御部４７により制御されている。
【００９２】
ステップＳ２２では、歩数算出部４８は、加速度センサ４５による検出結果に基づいて歩数を算出し、算出された歩数を順次積算する。
【００９３】
ステップＳ２３では、制御部４７は、歩数の計測を終了する地点を登録するための入力操作として、操作部１１によるユーザからの入力操作を受け付ける。詳細には、操作部１１の所定のキーが歩数の計測を終了する地点を登録するキーとしてキーアサインされ、ユーザは歩数の計測を終了する地点を登録するためにこの所定のキーを押下操作する。
【００９４】
ステップＳ２４では、制御部４７は、ステップＳ２３における入力操作に応じてＧＰＳ処理部５１により携帯電話装置１の現在位置でＧＰＳ通信可能であるか否か判断する。携帯電話装置１の現在位置でＧＰＳ通信可能である場合（Ｙｅｓ）には、ステップＳ２５へ移る。一方、携帯電話装置１の現在位置でＧＰＳ通信不可能である場合（Ｎｏ）には、ステップＳ２６へ移る。
【００９５】
ステップＳ２５では、ＧＰＳ処理部５１は、ＧＰＳ通信を行い、携帯電話装置１の現在位置を検出する。
【００９６】
ステップＳ２６では、ＧＰＳ処理部５１は、ＧＰＳ通信が不可能なため、基地局通信を利用し、携帯電話装置１の現在位置を検出する。
【００９７】
ステップＳ２７では、制御部４７は、ステップＳ２４又はステップＳ２５で検出された携帯電話装置１の現在位置を歩数の計測を終了する地点としてメモリ４４に登録し、歩数算出部４８によりステップＳ２１から算出が開始された歩数の積算値を設定値としてメモリ４４に登録して、本フローの処理を終了する。
【００９８】
このように、携帯電話装置１は、歩数の計測を終了する地点で操作部１１により入力操作を行うことで、通信部６０を外部装置と通信可能な状態にする歩数の設定値の登録と、歩数の計測を終了する地点の登録とを行うことができる。
【００９９】
なお、図６のフローチャートでは、歩数の計測を終了する地点で操作部１１により入力操作を行ったが、これに限られず、歩数の計測を開始する地点で操作部１１により入力操作を行い、この入力操作に応じてＧＰＳ処理部５１によりＧＰＳ通信又は基地局通信を行って、検出された携帯電話装置１の現在位置を歩数の計測を開始する地点としてメモリ４４に登録しても良い。これにより、携帯電話装置１は、歩数の計測を開始する地点を登録することができる。
【０１００】
［第２実施形態］
次に、本発明に係る第２実施形態の一例について説明する。以下、第２実施形態における携帯電話装置１について第１実施形態における携帯電話装置１と異なる点を中心に説明し、他の説明は省略する。
【０１０１】
第２実施形態では、制御部４７は、操作部１１の操作に応じて外部装置との間において通信が行えるように通信部６０における通信動作を制御する。また、制御部４７は、外部装置との間において通信部６０が通信を行い、当該通信が完了したことを検出した後、移動検出部５０により乗り物による移動を検出したときに、外部装置との間において通信が行えないように通信部６０における通信動作を制御する。
【０１０２】
このような構成によれば、携帯電話装置１は、ユーザによる操作に応じて通信部６０を、外部装置との通信が可能な状態にした後、外部装置と通信をした場合において、その後にユーザによる通信部６０の通信を不可能にするための操作を簡略化又は省略化することができる。
【０１０３】
また、制御部４７は、移動検出部５０による検出結果から乗り物による移動が終了したことを確認したときに、外部装置との間において通信が行えるように通信部６０における通信動作を制御する構成であっても良い。
【０１０４】
このような構成によれば、携帯電話装置１は、通信部６０を、外部装置との通信が不可能な状態にした後、外部装置との通信を可能にするための操作を簡略化又は省略化することができる。
【０１０５】
また、制御部４７は、外部装置との間において通信部６０が通信を行ったことを検出したときに、外部装置との間において通信が行えないように通信部６０における通信動作を制御する構成であっても良い。
【０１０６】
このような構成によれば、携帯電話装置１は、通信部６０が外部装置と通信をした後、外部装置との通信を不可能にするための操作を簡略化又は省略化することができる。
【０１０７】
図７は、第２実施形態に係る携帯電話装置１の処理の流れの一例について示すフローチャートである。
【０１０８】
ステップＳ３１では、制御部４７は、ユーザによる操作部１１の操作に応じて外部装置との間において通信が行えるように通信部６０における通信動作を制御する。
【０１０９】
ステップＳ３２では、制御部４７は、通信部６０が外部装置との無線通信を行ったか否かを判断する。通信部６０が外部装置との間で無線通信を行った場合（Ｙｅｓ）には、ステップＳ３４へ移る。一方、通信部６０が外部装置との間で無線通信を行わなかった場合（Ｎｏ）には、ステップＳ３３へ移る。
【０１１０】
また、ステップＳ３２では、上述した制御部４７の制御に替えて、制御部４７は、移動検出部５０により乗り物による移動を検出したか否か判断しても良い。このとき、乗り物による移動を検出した場合（Ｙｅｓ）には、ステップＳ３３へ移る。一方、乗り物による移動を検出しない場合（Ｎｏ）には、ステップＳ３４へ移る。
【０１１１】
ステップＳ３３では、制御部４７は、外部装置との間において通信が行えないように通信部６０における通信動作を制御する。
【０１１２】
ステップＳ３４では、制御部４７は、時間計測部により計測された経過時間が所定の時間に達したときに、外部装置との間において通信が行えないように通信部６０における通信動作を制御し、ステップＳ３５へ移る。
【０１１３】
ステップＳ３５では、制御部４７は、移動検出部５０による検出結果から乗り物による移動が終了したことを確認したか否かを判断する。移動検出部５０による検出結果から乗り物による移動が終了したことを確認した場合（Ｙｅｓ）には、ステップＳ３６へ移る。一方、移動検出部５０による検出結果から乗り物による移動が終了したことを確認できない場合（Ｎｏ）には、ステップＳ３７へ移る。
【０１１４】
ステップＳ３６では、制御部４７は、外部装置との間において通信が行えるように通信部６０における通信動作を制御する。ここで、携帯電話装置１のユーザが、乗り換え等により再び乗り物で移動するときは、制御部４７は、移動検出部５０により再び乗り物による移動を検出し、外部装置との間において通信が行えないように通信部６０における通信動作を制御する。
【０１１５】
ステップＳ３７では、制御部４７は、引き続き外部装置との間において通信が行えない状態を維持し、本フローの処理を終了する。
【０１１６】
ステップＳ３８では、制御部４７は、通信部６０が外部装置との無線通信を行ったか否かを判断する。通信部６０が外部装置との間で無線通信を行った場合（Ｙｅｓ）には、ステップＳ３９へ移る。一方、通信部６０が外部装置との間で無線通信を行わなかった場合（Ｎｏ）には、ステップＳ３４へ移る。
【０１１７】
ステップＳ３９では、制御部４７は、外部装置との間において通信が行えないように通信部６０における通信動作を制御し、本フローの処理を終了する。
【０１１８】
このように、携帯電話装置１は、ユーザによる操作部１１の操作に応じて外部装置との間において通信が行えるように通信部６０における通信動作を制御した後、外部装置と無線通信を行った場合でも、乗り物による移動を検出し、外部装置との間において通信が行えないように通信部６０における通信動作を制御することができる。
【０１１９】
なお、歩数算出部４８により算出された歩数の積算値は、ステップＳ１７又はステップＳ３９において制御部４７が外部装置との間において通信が行えないように通信部６０における通信動作を制御し、所定の期間が経過した後に破棄され、ユーザが再び歩き始めると歩数算出部４８は、加速度センサ４５による検出結果に基づいて歩数の算出を開始する。
【図面の簡単な説明】
【０１２０】
【図１】携帯電話装置１の外観斜視図である。
【図２】携帯電話装置１を折畳んだ状態の斜視図である。
【図３】携帯電話装置１の機能を示す機能ブロック図である。
【図４】処理部４６の機能を示す機能ブロック図である。
【図５】第１実施形態に係る携帯電話装置１の処理の流れの一例について示すフローチャートである。
【図６】第１実施形態に係る携帯電話装置１の処理の流れの一例について示すフローチャートである。
【図７】第１実施形態に係る携帯電話装置１において、歩数と場所を設定する処理の流れの一例について示すフローチャートである。
【図８】第２実施形態に係る携帯電話装置１の処理の流れの一例について示すフローチャートである。
【符号の説明】
【０１２１】
１  携帯電話装置
４５  加速度センサ
４６  処理部
４７  制御部
４８  歩数算出部
４９  時間計測部
５０  移動検出部
５１  ＧＰＳ処理部
６０  通信部
【図１】
0005340631.tif 000002
【図２】
0005340631.tif 000003
【図３】
0005340631.tif 000004
【図４】
0005340631.tif 000005
【図５】
0005340631.tif 000006
【図６】
0005340631.tif 000007
【図７】
0005340631.tif 000008
【図８】
0005340631.tif 000009